(57)【要約】【課題】  画像のような情報を記録可能な機能を備えている情報端末装置自体の持込は可能としたうえで、当該機能の利用を確実に禁止することができる入門管理システムを提供する。【解決手段】  携帯電話機１は、ＣＣＤカメラを備えてなるカメラモジュールが本体に対して着脱可能に構成されており、携帯電話機１の制御部は、カメラモジュールが本体に収容されて撮像可能な状態にあるか否かを判別してその情報を管理装置２４に送信する。入門ゲート２２側に配置されている管理装置２４は、携帯電話機１よりその判別状態に関する情報を受信すると、その判別状態に応じてバー２３の昇降を制御する。【選択図】  図１
2006222741.tif 000002
【特許請求の範囲】
【請求項１】
外部との通信を行うための第１通信手段と、撮像手段を備え本体に対し着脱可能に構成される撮像モジュールと、この撮像モジュールが前記本体に収容されることで前記撮像手段が撮像可能な状態にあるか否かを判別する収容状態判別手段と、この収容状態判別手段によって判別された状態に関する情報を外部に送信するための第２通信手段とを備え、電池駆動で動作するように構成される情報端末装置と、
入門又は入室を管理する場所に設置され、前記第２通信手段より送信される前記判別状態に関する情報を受信する通信手段と、前記前記判別状態に応じて、前記情報端末装置に撮像モジュールが収容されているか否かを管理側に報知するための報知手段とを備えてなる管理装置とで構成されることを特徴とする入門管理システム。
【請求項２】
外部との通信を行うための第１通信手段と、撮像手段を備え本体に対し着脱可能に構成される撮像モジュールと、この撮像モジュールが前記本体に収容されることで前記撮像手段が撮像可能な状態にあるか否かを判別する収容状態判別手段と、この収容状態判別手段によって判別された状態に関する情報を外部に送信するための第２通信手段とを備え、電池駆動で動作するように構成される情報端末装置と、
入門又は入室を管理する場所に設置され、前記第２通信手段より送信される前記判別状態に関する情報を受信する通信手段と、前記前記判別状態に応じて入門ゲートの開放又は入室扉の解錠を制御する制御手段とを備えてなる管理装置とで構成されることを特徴とする入門管理システム。
【請求項３】
前記管理装置は、前記情報端末装置に撮像モジュールが収容されている場合は、当該情報端末装置を携帯して入門又は入室しようとする者にその旨を警告する警告手段を備えることを特徴とする請求項１又は２記載の入門管理システム。
【請求項４】
前記管理装置は、前記情報端末装置が接触したこと、又は前記情報端末装置が載置されたことを検出する検出手段を備え、前記検出手段が前記検出をした場合、前記情報端末装置側に前記撮像モジュールの収容状態に関する情報の要求を前記通信手段を介して送信し、
前記情報端末装置は、前記情報の要求を受信すると、当該情報を管理装置側に送信することを特徴とする請求項１乃至３の何れかに記載の入門管理システム。
【請求項５】
請求項１乃至４の何れかに記載の入門管理システムに使用されることを特徴とする情報端末装置。
【請求項６】
前記本体に凹部形状をなす収容部を備え、当該収容部に前記撮像モジュールを挿入して嵌合させるように構成され、
前記収容部と前記撮像モジュールとは、前記挿入方向に延びると共に前記方向に対して直交する方向に並ぶ複数の溝を夫々備え、収容時には両者の溝よりなる凹凸が互いに嵌合するように構成されていると共に、
両者の電気的接続は、前記凹凸をなす部分に配置されている電極によって行われることを特徴とする請求項５記載の情報端末装置。
【請求項７】
画像情報若しくは音声情報を記録可能に構成される情報記録手段と、この情報記録手段の機能を制御する機能制御手段と、外部と通信を行うための端末側通信手段とを備え、電池駆動で動作するように構成される情報端末装置と、
この情報端末装置を使用する個人を特定するための情報が記憶されると共に、当該情報を外部に送信可能に構成される個人情報記憶手段と、
複数の個人情報と、各個人情報に応じて、所定の場所に対する入門又は入室の可否を示す情報並びに前記情報記録手段の使用の可否を示す情報とが記録されているデータベースと、
入門又は入室を管理する場所に設置され、前記個人情報記憶手段に記憶されている個人情報を読取る個人情報読取り手段と、
前記データベースにアクセスすることで前記個人情報を照会し、入門又は入室の可否を判定する第１判定手段と、
前記判定結果に応じて入門又は入室を許可するように入門ゲートの開放又は入室扉の解錠を制御する入門制御手段と、
前記データベースにアクセスすることで前記個人情報を照会し、前記情報記録手段の使用の可否を判定する第２判定手段と、
前記判定結果を、前記情報端末装置側に送信する管理側通信手段とで構成され、
前記情報端末装置の機能制御手段は、前記判定結果に応じて前記情報記録手段の機能を無効化することを特徴とする入門管理システム。
【請求項８】
前記個人情報読取り手段と、前記入門制御手段とは、一体の管理装置として構成され、
前記データベースと、前記第１及び第２判定手段と、前記管理側通信手段とは、一体のホストとして構成され、
前記管理装置と前記ホストとは、通信ネットワークを介して接続されていることを特徴とする請求項７記載の入門管理システム。
【請求項９】
前記個人情報記憶手段は、前記情報端末装置に対して着脱可能な情報記録媒体として構成されていることを特徴とする請求項７又は８記載の入門管理システム。
【請求項１０】
請求項７乃至１０の何れかに記載の入門管理システムに使用されることを特徴とする情報端末装置。
【発明の詳細な説明】
【技術分野】
【０００１】
本発明は、撮像手段又は画像情報若しくは音声情報を記録可能に構成される情報記録手段を備え、電池駆動で動作するように構成される情報端末装置を携帯する者の入門又は入室を管理する管理装置とで構成される入門管理システム、及びそのシステムに使用される情報端末装置に関する。
【背景技術】
【０００２】
近年の携帯電話機は、カメラ機能を備えているものが殆どになっている。その様な事情を踏まえ、例えば会社内における機密事項の漏洩を防止するために、カメラ付き携帯電話機の持込みを禁止する会社も多くなっている。しかし、持ち込み禁止によって携帯電話機が全く使用できなくなると極めて不便になることから、プライベートでカメラ付き携帯電話機を使っている場合は、カメラ機能が付いていない携帯電話機をわざわざ探して仕事用に使用せざるを得ないという場合がある。
【０００３】
例えば、特許文献１には、カメラ機能付きの携帯情報端末を利用して、入退場時のセキュリティチェックを行うようにした技術が開示されている。この技術は、入門しようとする者の顔や容貌などをカメラにより撮影してその特徴を抽出すると個人認証装置側に送信し、個人認証装置が受信した情報を照合することで入室の可否を決定するものである。
【特許文献１】特開２００４−２０８２４４号公報
【発明の開示】
【発明が解決しようとする課題】
【０００４】
しかしながら、特許文献１に開示されている技術では、個人の認証を行っているとしてもカメラ機能付きの携帯情報端末を持ち込むことは可能であるため、そのような端末の持込を禁止することを前提としている上述の問題の解決には全く寄与しない。
本発明は上記事情に鑑みてなされたものであり、その目的は、画像のような情報を記録可能な機能を備えている情報端末装置自体の持込は可能としたうえで、当該機能の利用を確実に禁止することができる入門管理システム、及びそのシステムに使用される情報端末装置を提供することにある。
【課題を解決するための手段】
【０００５】
請求項１記載の入門管理システムによれば、情報端末装置は、撮像手段を備えてなる撮像モジュールが本体に対して着脱可能に構成されており、撮像モジュールが本体に収容されて撮像可能な状態にあるか否かを判別してその情報を外部に送信する。一方、入門又は入室を管理する場所に設置される管理装置は、情報端末装置側より判別状態に関する情報を受信すると、その判別状態に応じて情報端末装置に撮像モジュールが収容されているか否かを管理側に報知する。
【０００６】
従って、管理側では、例えば管理員などが上記の報知に基づいて、撮像モジュールが本体に収容された状態の情報端末装置を携帯している者の入門又は入室を拒否することができる。そして、情報端末装置を携帯する者は、撮像機能を使用したい場合には撮像モジュールを収容して使用することができ、上述のようにセキュリティを確保する必要がある特定の場所に入門又は入室する必要がある場合は、撮像モジュールを取外して第１通信手段による通信機能だけを使用することができる。即ち、１つの情報端末装置を入門管理システムに適するように構成し、使用状況に応じて使い分けることが可能となる。尚、ここで「入門管理」とは、入門管理又は入室管理の総称である。
【０００７】
請求項２記載の入門管理システムによれば、情報端末装置は、撮像手段を備えてなる撮像モジュールが本体に対して着脱可能に構成されており、撮像モジュールが本体に収容されて撮像可能な状態にあるか否かを判別してその情報を外部に送信する。一方、入門又は入室を管理する場所に設置される管理装置は、情報端末装置側より判別状態に関する情報を受信すると、その判別状態に応じて入門ゲートの開放又は入室扉の解錠を制御する。
従って、撮像モジュールが本体に収容された状態の情報端末装置を携帯している者の入門又は入室を自動的に拒否することができる。そして、情報端末装置を携帯する者は、請求項１と同様の効果を得ることができる。
【０００８】
請求項３記載の入門管理システムによれば、管理装置は、情報端末装置に撮像モジュールが収容されている場合は、当該装置を携帯して入門又は入室しようとする者にその旨を警告するので、入門者に対して撮像モジュールを取外すことように促すことができる。
【０００９】
請求項４記載の入門管理システムによれば、管理装置は、検出手段が情報端末装置が接触したこと又は載置されたことを検出すると、情報端末装置側に撮像モジュールの収容状態に関する情報の要求を送信する。そして、情報端末装置は、情報要求を受信すると当該情報を管理装置側に送信する。従って、管理装置は、情報端末装置が近傍に存在するか否かにかかわらず、例えば常時所定の間隔で情報要求を送信する必要がなく、情報端末装置が近傍に位置したことが検出された場合にだけ送信を行えば良いので、電力消費を低減することができる。
【００１０】
請求項６記載の情報端末装置によれば、本体に備えた収容部に撮像モジュールを挿入して嵌合させるように構成される。そして、収容時には両者の溝よりなる凹凸が互いに嵌合するようになっており、両者の電気的接続は凹凸をなす部分に配置される電極によって行われる。従って、撮像モジュールの収容並びに両者の電気的接続を確実に行うことができる。
【００１１】
請求項７記載の入門管理システムによれば、情報端末装置は、情報記録手段及びその機能を制御する機能制御手段を備えている。また、個人情報記憶手段には、情報端末装置を使用する個人を特定する情報が記憶されており、データベースには、複数の個人情報と、各個人情報に応じて、所定の場所に対する入門又は入室の可否を示す情報並びに情報記録手段の使用の可否を示す情報とが記録されている。
そして、入門又は入室を管理する場所に設置される個人情報読取り手段が、個人情報記憶手段に記憶されている個人情報を読取ると、第１判定手段によってデータベースより読取られた個人情報が照会されて入門又は入室の可否が判定され、その判定結果に応じて入門ゲートの開放又は入室扉の解錠が制御される。
【００１２】
また、第２判定手段は、データベースにアクセスすることで個人情報を照会し、情報記録手段の使用の可否を判定すると、その判定結果は、管理側通信手段を介して情報端末装置側に送信される。すると、情報端末装置の機能制御手段は、受信した判定結果に応じて情報記録手段の機能を無効化する。即ち、例えば所定の場所に対する入門又は入室が許可された場合でも、データベースに登録されている各個人の使用可否情報に応じて、画像や音声の記録が可能な情報記録手段の機能は有効化又は無効化される。従って、請求項１又は２と同様に、１つの情報端末装置を入門管理システムに適するように構成し、使用状況に応じて使い分けることが可能となる。
【００１３】
請求項８記載の入門管理システムによれば、個人情報読取り手段と入門制御手段とを一体の管理装置として、データベースと第１及び第２判定手段と管理側通信手段とを一体のホストとして構成し、両者間を通信ネットワークを介して接続する。斯様に構成すれば、管理装置は入門又は入室を管理する場所に設置しておき、比較的容量が大きいデータベースは、より離れた場所に設置した状態でもデータを参照することができる。そして、複数の管理装置が通信ネットワークを介してデータベースにアクセスすることができる。
【００１４】
請求項９記載の入門管理システムによれば、個人情報記憶手段は、情報端末装置に対して着脱可能な情報記録媒体として構成されるので、例えば、ＩＣカードやＲＦＩＤタグなどを利用して、システムを構成することができる。
【発明を実施するための最良の形態】
【００１５】
（第１実施例）
以下、本発明を情報端末装置としての携帯電話機１を用いた入門管理システムに適用した場合の第１実施例について図１乃至図５を参照して説明する。図３（ａ）は、携帯電話機１の外観構成を示しており、図４は、携帯電話機１の電気的構成を概略的に示している。図３には、二つ折りタイプの携帯電話機１が開いた状態で示されている。この携帯電話機１は、下部本体２と、この下部本体２にヒンジ部３を介して開閉可能に連結された上部本体４とからなり、下部本体２の表側には、多数のキー５を配列してなるキーパッド６および送話音を入力するマイクロフォン７などが配設されている。また、上部本体６の表側には、ディスプレイ８および受話音声を出力するスピーカ９などが配設されている。なお、上部本体４の裏側にはアンテナ１０（図４参照）が配設されている。
【００１６】
ヒンジ部３には、ヒンジ部３の軸を中心として回転可能に構成された回転機構部１１を備えており、その回転機構部１１に対してＣＣＤカメラ（撮像手段）１２を有するカメラモジュール（撮像モジュール）１３が着脱可能となるように構成されている。カメラモジュール１３は、図３（ｂ）に示すように、直方体状の筐体１３ａを有しており、その筐体１３ａの正面側にＣＣＤカメラ１２が嵌め込まれている。また、筐体１３ａの図３中上面には、複数の凸部１３ｂが左右方向に等間隔に並んでおり、それらの凸部１３ｂは、筐体１３ａの厚さ（図３中奥行き方向）寸法と略同じ長さで形成されている。そして、２つの凸部１３ｂの間が溝をなす凹部１３ｃとなっている。
【００１７】
一方、図３（ｄ）に示すように、回転機構部１１側には、カメラモジュール１３を収容するための収容部１４が、筐体１３ａの外形に合わせて形成されている。従って、収容部１４の上方側にも、凸部１３ｂ，凹部１３ｃに対応した凹部１４ａ，凸部１４ｂが形成されている。そして、カメラモジュール１３側の凸部１３ｂ，凹部１３ｃと、収容部１４側の凹部１４ａ，凸部１４ｂには必要に応じて電極が配置されている。
例えば、凸部１３ｂ側には電極１５が配置され、凹部１４ａ側の電極１６が配置されており、カメラモジュール１３を収容部１４に収容するように嵌め込んだ場合は、両者の凹凸部が夫々噛み合うようになり、その際に、電極１５，１６も電気的に接続されるようになっている。これにより、ＣＣＤカメラ１２と、携帯電話機１側との間における信号やデータの転送が可能となっている。そして、収容部１４にカメラモジュール１３が収容された場合には、上記の電気的接続により、プルアップされている何れかの端子がグランドレベルになることで、携帯電話機１の制御部１７（図４参照）はその収容状態を検出可能となっている。
【００１８】
また、収容部１４には、図３（ｃ）に示すように、カメラモジュール１３の筐体１３ａと外形寸法が同一となるように形成され、ＣＣＤカメラ１２を有していないダミー筐体１６も収容可能となっている。ダミー筐体１６上面の凹凸部には、電極が配置されておらず、収容部１４にダミー筐体１６が収容された場合には、上記プルアップされている端子のレベルは変化しないようになっている。
この場合、カメラモジュール１３またはダミー筐体１６が収容部１４に収容された状態で、その脱落を防止するためのロック機構を備えても良い。或いは、ダミー筐体１６を収容することに替えて、収容部１４にシャッタ機構を配置して、カメラモジュール１３を収容しない場合は、収容部１４をシャッタにより閉塞するようにしても良い。
【００１９】
図４には携帯電話機１の電気的構成が示されている。同図において、制御手段としての制御部（収容状態判別手段）１７はマイクロコンピュータにより構成され、ＣＰＵやＲＯＭ，ＲＡＭ（何れも図示せず）などを備えている。この制御部１７には、前述のマイクロフォン７、ディスプレイ８、スピーカ９、ＣＣＤカメラ１２、キー５によって操作されるキースイッチ１８の他、アンテナ１０を介して基地局と通信を行う通信部（第１通信手段）１９が接続されている。なお、下部本体５内には電源用電池２０が収納されている。また、制御部１７には、近距離無線通信手段であるBluetooth通信部（第２通信手段）２１も接続されている。
【００２０】
図１は、上記構成の携帯電話機１を使用した入門システムの全体構成を示すものである。例えば、会社の入口に設置されている入門ゲート２２は、入門者が２本の柱２２Ｌ，２２Ｒの間を通過して入門するようになっているが、その通過路の通過はバー２３によって阻止可能となっている。即ち、例えば、柱２２Ｒの内部には、管理装置２４が内蔵されており、管理装置２４は、入門しようとする者が所持している携帯電話機１とBluetoothにより無線通信を行い、その結果により入門の適否を判断するようになっている。そして、入門を許可できない場合は、バー２３を下ろすことで入門ゲート２２の通過を阻止するように制御する。
【００２１】
図５は、管理装置２４の電気的構成を示す機能ブロック図である。管理装置２４は、マイクロコンピュータで構成される制御部２５を中心として、Bluetooth通信部（通信手段）２６や、表示部（警告手段）２７、音声出力部（警告手段）２８、バー駆動部２９などを備えている。表示部２７は、図１に示すように柱２２Ｒの上面に載置されている回転等であり、入門を許可できない場合に点灯表示されて警告を行うために使用される。また、音声出力部２８は、図１に示すように柱２２Ｒの正面に配置されているスピーカであり、表示部２７と同様に警告を行うために使用される。バー駆動部２９は、柱２２Ｒに内蔵されており、バー２３を上げ下ろし（回動）するためのモータなどで構成されている。
【００２２】
次に、本実施例の作用について図２も参照して説明する。図２は、管理装置２４と携帯電話機１との間における通信処理手順を示すシーケンス図である。管理装置２４は、Bluetooth通信部２６より周期的に質問信号を送信しており、入門ゲート２２に携帯電話機１を所持した者が接近するまで待機している。そして、入門ゲート２２を通過して入門しようとする者は、携帯電話機１を柱２２Ｒの管理装置２４に近づけるようにする。すると、携帯電話機１側のBluetooth通信部２１との通信が行われ、携帯電話機１側は管理装置２４に応答を返す。
【００２３】
管理装置２４は、携帯電話機１の応答を受け付けると、携帯電話機１側に、カメラモジュール１３の収容状態を送信するように要求する。すると、携帯電話機１の制御部１７は、収容部１４にカメラモジュール１３が収容されているか否かを判定用端子のレベルを参照することで判定し、その結果を管理装置２４側に返信する。そして、管理装置２４は、返信された状態に応じて入門の可否を決定する。
即ち、携帯電話機１にカメラモジュール１３が収容されている場合は、ＣＣＤカメラ１２によって会社内部の機密事項が撮影されてしまうおそれがあるので、その場合（ＮＧ）は、制御部２５は入門を許可せず、バー駆動部２９によりバー２３を下ろして入門ゲート２２の通過を阻止する。また、表示部２７を点灯させると共に、例えば、音声出力部２８により「携帯電話機にカメラが装着された状態では入門できません」というような音声メッセージを出力して入門しようとする者に警告する。
一方、携帯電話機１にカメラモジュール１３が収容されていなければ、バー２３は上げたままの状態としておき、入門しようとする者を通過させるように制御する。
【００２４】
以上のように本実施例によれば、携帯電話機１は、ＣＣＤカメラ１２を備えてなるカメラモジュール１３が本体に対して着脱可能に構成されており、制御部１７は、カメラモジュール１３が本体に収容されて撮像可能な状態にあるか否かを判別してその情報を外部に送信し、管理装置２４は、携帯電話機１側よりその判別状態に関する情報を受信すると、その判別状態に応じてバー２３の昇降を制御する。
従って、カメラモジュール１３が本体に収容された状態の携帯電話機１を携帯している者の入門又は入室を自動的に拒否することができる。そして、携帯電話機１を使用する者は、例えばプライベートで撮像機能を使用したい場合にはカメラモジュール１３を本体に収容して使用することができ、上述のようにセキュリティを確保する必要がある特定の場所に入門する必要がある場合は、カメラモジュール１３を取外して通信部１９による通信機能だけを使用することができる。即ち、１つの携帯電話機１を入門管理システムに適するように構成し、使用状況に応じて使い分けることが可能となる。
【００２５】
また、管理装置２４は、携帯電話機１にカメラモジュール１３が収容されている場合は、その携帯電話機１を携帯して入門しようとする者に、表示部２７及び音声出力部２８によりその旨を警告するので、入門者に対してカメラモジュール１３を取外すことように促すことができる。
更に、携帯電話機１を、本体に備えた収容部１４にカメラモジュール１３を挿入して嵌合させるように構成し、収容時には両者の溝よりなる凹凸が互いに嵌合することで、両者の電気的接続を互いに凹凸をなす部分に配置される電極によって行うようにしたので、カメラモジュール１３の収容並びに両者の電気的接続を確実に行うことができる。
【００２６】
（第２実施例）
図６及び図７は本発明の第２実施例を示すものであり、第１実施例と同一部分には同一符号を付して説明を省略し、以下異なる部分についてのみ説明する。第２実施例は、第１実施例のカメラモジュール１３とは構成が若干異なるカメラモジュール（撮像モジュール）３１の構成を示す。図６（ａ）はカメラモジュール３１の平面図、図６（ｂ）は正面図、図６（ｃ）は側面図である。
図６（ａ）に示すように、カメラモジュール３１の筐体３１ａには、第１実施例のような凸部１３ａ，凹部１３ｂは形成されていない。そして、図６（ｂ），（ｃ）に示すように、筐体３１ａの底面側には、複数の板ばね状の電極３２が配置されている。電極３２は、図６（ｃ）に示す側面形状がＪ字状であり、その一端が筐体３１ａの底面側に固定されており、他端側が開放されている。
【００２７】
そして、図７は、携帯電話機１側の収容部３３の平面図である。収容部３３の底には、カメラモジュール３１側の電極３２の配置間隔に対応して、複数の電極３４（例えば、基板上に形成された銅箔のランド）が配置されている。従って、カメラモジュール３１を収容部３３に挿入すると、電極３２，３４が接触することで両者の電気的接続が図られるようになっている。
以上のように構成された第２実施例による場合も、第１実施例と略同様の効果を得ることができる。
【００２８】
（第３実施例）
図８及び図９は本発明の第３実施例を示すものであり、第２実施例と異なる部分についてのみ説明する。第３実施例も第２実施例と同様に異なる構成のカメラモジュール３５を示すものであり、図８は図６相当図である。カメラモジュール（撮像モジュール）３５は、筐体３５ａの底部側に、第２実施例の板ばね状の電極３２に替えて、コネクタ接続用の端子（オス）３６が、底面側に突き出す方向に配置されている。
【００２９】
そして、図９は、収容部３７側に配置されたコネクタ３８を示す。コネクタ３８は、端子３６に対応した端子（メス）３９を複数備えて構成されている。従って、カメラモジュール３５を収容部３７に挿入すると、端子３６，３９が接触することで両者の電気的接続が図られるようになっている。
以上のように構成された第３実施例による場合も、第１実施例等と略同様の効果を得ることができる。
【００３０】
（第４実施例）
図１０及び図１１は、本発明を入室管理システム（入門管理システム）に適用した場合の第４実施例を示すものである。第４実施例では、管理装置４１は、セキュリティ確保のため入室が管理されている部屋のドア４２近傍の壁の内部などに配置されている。そして、管理装置４１は、第１実施例におけるバー駆動部２９に替わるドアロックアクチュエータ４３を制御するようになっている。
【００３１】
図１１に示すように、ドアロックアクチュエータ４３は、ドア４２側にロックピン４４を出し入れすることで、ドア４２の施錠，解錠を行うものである。また、表示部２７に替わる表示部４５（例えばＬＣＤパネルなどで構成される）が壁に埋め込まれており、警告用のメッセージを文字で表示するようになっている。
【００３２】
以上のように構成される第４実施例の作用は、基本的に第１実施例と同様であり、ドア４２を通って入室しようとするものが接近し、携帯電話機１を管理装置４１に近づけると、Bluetoothにより両者間の通信が行われる。そして、携帯電話機１にカメラモジュール１３が収容されている場合は、制御部２５は入室を許可せず、ドアロックアクチュエータ４３によりドア４２を施錠状態に維持して入室を阻止する。また、表示部４５及び音声出力部２８により「携帯電話機にカメラが装着された状態では入門できません」というようなメッセージを表示及び音声で夫々出力して入室しようとする者に警告する。一方、携帯電話機１にカメラモジュール１３が収容されていない場合、制御部２５はドアロックアクチュエータ４３によりドア４２を解錠状態にして入室を許可する。
以上のように構成された第４実施例によれば、入室管理システムにも本発明を適用することができる。
【００３３】
（第５実施例）
図１２及び図１３は本発明の第５実施例を示すものである。第５実施例における管理装置４４は、第１実施例の管理装置２４の構成に、携帯電話機１の置き台４５を加えたものである。置き台４５には、携帯電話機１が載置されたか否かを判別するスイッチ（検出手段）４６が内蔵されている。そして、そのスイッチ４６のオンオフは、制御部２５Ａが参照可能となっている。
置き台４５は、例えば、入門ゲート２２の近くに配置されている。そして、入門しようとする者は、携帯電話機１を置き台４５に載置する。すると、制御部２５Ａは、携帯電話機１が置き台４５に載置されたことを検知して、その時点からBluetoothによる質問信号の送信を開始するように構成されている。
【００３４】
即ち、図１３に示すように、制御部２５Ａは、携帯電話機１が置き台４５に載置されたことを検知するまで待機しており（ステップＳ１）、載置されたことを検知すると（「ＹＥＳ」）携帯電話機１側への質問信号の送信を開始する（ステップＳ２）。そして、携帯電話機１側より応答があると（ステップＳ３，「ＹＥＳ」）、以降は第１実施例と同様の処理が行われる。最後に、入門可否の決定に応じた処理が行なわれると（ステップＳ４）、今度は携帯電話機１が置き台４５より除去されるまで待機し（ステップＳ５）、除去されると（「ＹＥＳ」）ステップＳ１に戻る。
【００３５】
以上のように第５実施例によれば、管理装置４４は、置き台４５のスイッチ４６が携帯電話機１が載置されたことを検出するとBluetoothによる通信を開始して、携帯電話機１側にカメラモジュール１３の収容状態に関する情報の要求を送信する。従って、管理装置４４は、携帯電話機１が近傍に存在するか否かにかかわらず、例えば常時所定の間隔で情報要求を送信する必要がなく、携帯電話機１が近傍に位置したことが検出された場合にだけ送信を行えば良いので、電力消費を低減することができる。
【００３６】
（第６実施例）
図１４は本発明の第６実施例を示すものであり、第１実施例と異なる部分についてのみ説明する。第６実施例の管理装置４６は、第１実施例の管理装置２４よりバー駆動装置２９が削除されており、また、入門ゲート２２の柱２２Ｌに配置されていた表示部２７及び音声出力部２８に替えて、入門ゲート２２の側に位置する守衛室内に配置されている表示部４７及び音声出力部４８が設けられている。
以上のように構成された第６実施例によれば、守衛室に守衛が常駐しているような場合には、管理装置４６がバー２３の昇降制御を行わずとも、携帯電話機１にカメラモジュール１３が装着された状態で入門しようとする者を、表示部４７及び音声出力部４８により守衛に報知して対処させることが可能となる。
【００３７】
（第７実施例）
図１５乃至図１８は本発明の第７実施例を示すものである。第７実施例は、情報端末装置として、カメラによる撮影機能やデジタルレコーダによる録音機能などを備えているＰＤＡ（Personal Digital Assistants）５１等を携帯したまま、例えば会社内においてセキュリティ管理されている部屋に入室しようとする場合に、それらの機能を制限するためのシステムである。
【００３８】
図１５は、システムの全体構成を示すもので、図１６（ａ）は、ＰＤＡ５１の電気的構成を示すものである。図１６（ａ）に示すように、ＰＤＡ５１は、ＣＰＵ（マイクロコンピュータ，機能制御手段）５２を中心として、例えば無線電話機能や無線ＬＡＮによる通信機能などのネットワーク接続機能部（端末側通信手段）５３や、カメラ（情報記録手段）５４、録音機能部（情報記録手段）５５、表示などを含むその他機能部５６などを有している。そして、これらは電池（Battery）５７によって供給される電源で駆動されるようになっている。また、ＣＰＵ５２は、ソフトウエア的に実現される禁止／有効制御部５２ａを備えており、この禁止／有効制御部５２ａによってカメラ５４及び録音機能部５５の機能を有効化／無効化するようになっている。
【００３９】
図１６（ｂ）は、非接触型のＩＣカード（個人情報記憶手段）５８の電気的構成を示すものである。ＩＣカード５８は、やはりＣＰＵ５９を中心として、個人の識別情報（ここでは、ＰＤＡ５１及びＩＣカード５８の所有者に関するもの）が記憶されているメモリ６０や通信機能部６１などを備えている。
また、図１７は、図１６（ａ），（ｂ）に示す構成が一体になっているものを想定している。即ち、ＰＤＡ６２は、図１６のＰＤＡ５１に、ＩＣカード５８が有しているメモリ６０及び通信機能部６１を加えたものであり、通信機能部６１の制御も、ＰＤＡ６２側のＣＰＵ５２Ａが行うようになっている。
【００４０】
図１５に示すように、セキュリティ管理されている各部屋については、ドアコントローラ（入門制御手段）６３、ＩＣカード用のリーダライタ（ＲＷ，個人情報読み取り手段）６４などからなる入室管理装置６５が配置されている。ドアコントローラ６３は、リーダライタ６４との間における通信が可能であると共に、扉６６の解施錠を制御するようになっており、更に、ネットワーク通信機能を備えている。そして、通信ネットワーク（例えば、インターネット）６７を介して遠隔地に位置するホスト６８との通信も可能となるように構成されている。
【００４１】
ホスト６８は、マイクロコンピュータなどで構成される同期処理装置（第１，第２判定手段，管理側通信手段）６９とデータベース（ＤＢ）７０とを備えている。同期処理装置６９は、データベース７０が参照で可能であり、通信ネットワーク６７を介してドアコントローラ６３と通信することで、ドアコントローラ６３側との同期処理が可能となっている。また、同期処理装置６９は、データベース７０が参照で可能であり、通信ネットワーク６７及び無線局７１を介してＰＤＡ５１，６２との直接通信も可能となっている。
【００４２】
次に、第７実施例の作用について図１８も参照して説明する。図１８は、ＰＤＡ５１，ＩＣカード５８，ドアコントローラ６３，ホスト６８との間における通信処理状態を示すシーケンス図である。ドアコントローラ６３は、リーダライタ６４により所定周期で質問信号を送信しており、ＰＤＡ５１及びＩＣカード５８を携帯した者が接近するまで待機している。そして、ＩＣカード５８が、質問に対する応答としてメモリ６０に記憶されている「個人識別情報」を送信すると、ドアコントローラ６３は、その情報をホスト６８側に転送する。
【００４３】
ホスト６８の同期処理装置６９は、「個人識別情報」を受け取ると、当該情報を送信した部屋についての「入室許可情報」を、データベース７０より取得する。「入室許可情報」としては、例えば当該部屋に対する入室が許可されている従業員の番号などである。そして、同期処理装置６９は２つの情報を照合して入室の許否を判定し、その結果をドアコントローラ６３側に通知する。すると、ドアコントローラ６３は、その許否に応じて扉６６の解施錠を行う。
また、同期処理装置６９は、入室許可と判定した場合は、再度データベース７０にアクセスして「部屋情報」を取得する。ここで、「部屋情報」とは、各部屋に応じて、ＰＤＡ５１などが備えているカメラ５４や録音機能部５５などの情報入出力機能を有効のままとするか無効にすべきかの情報であり、セキュリティレベルが高い部屋に関しては、上記の機能を無効とすべき設定がなされている。
【００４４】
そして、同期処理装置６９は、取得した「部屋情報」に基づき情報入出力機能を無効にすべき場合は、更に、データベース７０にアクセスして「端末情報」を取得する。ここで、「端末情報」とは、従業員の番号と、その従業員が使用するものとして予め登録されているＰＤＡ５１の端末番号（送信宛先）である。そして、同期処理装置６９は、端末番号を取得すると、情報入出力機能の無効指令通知を、通信ネットワーク６７及び無線局７１を介してＰＤＡ５１側に送信する。すると、ＰＤＡ５１のＣＰＵ５２は、禁止／有効制御部５２ａにより、カメラ５４及び録音機能部５５の機能を無効化する。従って、この場合、その部屋に入室が許可された者であってもＰＤＡ５１のカメラ５４及び録音機能部５５は使用することができなくなる。
【００４５】
以上のように第７実施例によれば、ＰＤＡ５１がカメラ５４及び録音機能部５５を備えている場合に、ＩＣカード５８に、前記ＰＤＡ５１を使用する個人を特定する情報を記憶し、データベース７０に、複数の個人情報と、各個人情報に応じて、所定の部屋に対する入室の可否を示す情報並びにＰＤＡ５１におけるカメラ５４及び録音機能部５５の使用の可否を示す情報とを記録する。
そして、入室を管理する場所に設置されるドアコントローラ６３は、リーダライタ６４を介してＩＣカード５８に記憶されている個人情報を読取りホスト６８側に送信すると、同期処理装置６９によってデータベース７０より読取られた個人情報が照会されて入室の可否が判定され、ドアコントローラ６３は、その判定結果に応じて扉６６の解錠を制御する。
【００４６】
また、同期処理装置６９は、データベース７０にアクセスすることで個人情報を照会し、カメラ５４及び録音機能部５５の使用の可否を判定すると、その判定結果は、ＰＤＡ５１側に送信され、ＰＤＡ５１を制御するＣＰＵ５２は、受信した判定結果に応じてカメラ５４及び録音機能部５５の機能を無効化する。従って、ＰＤＡ５１を、入室管理システムに適するように構成し、使用状況に応じて使い分けることが可能となる。
また、ドアコントローラ６３、リーダライタ６４とを一体の入室管理装置６５として構成し、同期処理装置６９、データベース７０を一体のホスト６８として構成し、両者間を通信ネットワーク６７を介して接続したので、入室管理装置６５は入室を管理する場所に設置しておき、比較的容量が大きいデータベース７０は、より離れた場所に設置した状態でもデータを参照することができる。そして、複数の入室管理装置６５が通信ネットワーク６７を介してデータベース７０にアクセスすることができる。
【００４７】
本発明は上記し又は図面に記載した実施例に限定されるものではなく、次のような変形が可能である。
第１乃至第６実施例を、携帯電話機１に替えて第７実施例のようなＰＤＡについて適用しても良い。
第５実施例における検出手段は、携帯電話機１が接触したことを検出するように構成されるものでも良い。
第７実施例において、ＰＤＡ５２が備えるものは、カメラ５４、録音機能部５５の何れか一方のみでも良い。
第７実施例における入室管理装置６５、及びホスト６８の構成は、図１５に示すものに限らず、例えば、入室管理装置６５及びホスト６８が一体となるように構成しても良い。その場合、両者が通信ネットワークを介して通信を行う必要はない。
第７実施例を、情報端末装置としての携帯電話機に適用しても良い。
第７実施例におけるＩＣカードは、接触型であっても良い。
第７実施例において、個人情報記憶手段をＲＦＩＤタグで構成しても良い。
携帯電話機は、二つ折り構造のものに限らず、例えばカメラモジュールを背面側から取り付けるように構成されていても良い。
第２通信手段は、例えば無線ＬＡＮやＩｒＤＡ、或いはＲＦＩＤタグなどと同様の通信方式を使用しても良い。
【図面の簡単な説明】
【００４８】
【図１】本発明を、情報端末装置としての携帯電話機を用いた入門管理システムに適用した場合の第１実施例であり、入門管理システムの全体構成を示す図
【図２】管理装置と携帯電話機との間における通信処理手順を示すシーケンス図
【図３】（ａ）は携帯電話機の外観構成を示す図、（ｂ）はカメラモジュールの平面図、（ｃ）はダミー筐体の構成を示す平面図、（ｄ）は収容部の構成を示す平面図
【図４】携帯電話機の電気的構成を概略的に示す図
【図５】管理装置の電気的構成を示す機能ブロック図
【図６】本発明の第２実施例であり、（ａ）はカメラモジュールの平面図、（ｂ）は同正面図、（ｃ）は同側面図
【図７】携帯電話機側における収容部の平面図
【図８】本発明の第３実施例を示す図６相当図
【図９】収容部側に配置されたコネクタを示す図
【図１０】本発明を入室管理システムに適用した場合の第４実施例であり、システムの全体構成を示す図
【図１１】図５相当図
【図１２】本発明の第５実施例を示す図５相当図
【図１３】管理装置の制御部による制御内容を示すフローチャート
【図１４】本発明の第６実施例を示す図５相当図
【図１５】本発明の第７実施例であり、システムの全体構成を示す図
【図１６】（ａ）はＰＤＡの電気的構成を示す図、（ｂ）は非接触型のＩＣカードの電気的構成を示す図
【図１７】図１６（ａ），（ｂ）に示す構成が一体になっているＰＤＡの電気的構成を示す図
【図１８】ＰＤＡ，ＩＣカード，ドアコントローラ，ホストとの間における通信処理状態を示すシーケンス図
【符号の説明】
【００４９】
図面中、１は携帯電話機（情報端末装置）、１２はＣＣＤカメラ（撮像手段）、１３はカメラモジュール（撮像モジュール）、１４は収容部、１６はダミー筐体、１７は制御部（収容状態判別手段）、１９は通信部（第１通信手段）、２０は電源用電池、２１はBluetooth通信部（第２通信手段）、２４は管理装置、２６はBluetooth通信部（通信手段）、２７は表示部（警告手段）、２８は音声出力部（警告手段）、３１はカメラモジュール（撮像モジュール）、３３は収容部、３５はカメラモジュール（撮像モジュール）、４１は管理装置、４６はスイッチ（検出手段）、４６は管理装置、５１はＰＤＡ（情報端末装置）、５２はＣＰＵ（機能制御手段）、５３はネットワーク接続機能部（端末側通信手段）、５４はカメラ（情報記録手段）、５５は録音機能部（情報記録手段）、６３はドアコントローラ（入門制御手段）、６４はリーダライタ（個人情報読み取り手段）、６８はホスト、６９は同期処理装置（第１，第２判定手段，管理側通信手段）、７０はデータベース（ＤＢ）を示す。
【図１】
2006222741.tif 000003
【図２】
2006222741.tif 000004
【図３】
2006222741.tif 000005
【図４】
2006222741.tif 000006
【図５】
2006222741.tif 000007
【図６】
2006222741.tif 000008
【図７】
2006222741.tif 000009
【図８】
2006222741.tif 000010
【図９】
2006222741.tif 000011
【図１０】
2006222741.tif 000012
【図１１】
2006222741.tif 000013
【図１２】
2006222741.tif 000014
【図１３】
2006222741.tif 000015
【図１４】
2006222741.tif 000016
【図１５】
2006222741.tif 000017
【図１６】
2006222741.tif 000018
【図１７】
2006222741.tif 000019
【図１８】
2006222741.tif 000020